(57)【特許請求の範囲】
【請求項１】
後方へ突出するモータ端子を備えてモータケースの後端開口を塞ぐ端蓋部及び前記モータケースの後端側下部に臨む端子支持部を一体的に有する樹脂製ブラケットと、前記モータ端子に電気的に接続してモータ軸に対する径方向の下方へ延在する径方向部分及びこの径方向部分の下端から折曲して前記モータ軸と略平行で前方へ延在する軸方向部分を有する中継端子と、基板上に圧接すべき圧接部分を自由端側に持つばね状端子とを有し、前記端子支持部は、前記自由端側を後方へ向けた状態で前記ばね状端子の固定端側を支持する片持ち支持部と、前記軸方向部分が重なる受け止め支持部と一体的に有し、前記軸方向部分の先端側は前記ばね状端子と接合しており、前記自由端側は前記軸方向部分の真下で前記接合部分から斜め下方に向けた中間部分を介して形成されていることを特徴とするモータ。
【請求項２】
請求項１に記載のモータにおいて、前記接合部分はカシメ固定部分であることを特徴とするモータ。
【請求項３】
請求項１又は請求項２に記載のモータにおいて、前記片持ち支持部は前記固定端側を受容する差し込み穴を有することを特徴とするモータ。
【請求項４】
請求項１乃至請求項３のいずれかに記載のモータにおいて、前記受け止め支持部は、前記端蓋部の後方から前記軸方向部分を差し込み規制する案内溝を有することを特徴とするモータ。
【発明の詳細な説明】
【技術分野】
【０００１】
本発明は、振動モータ等のモータに関し、特にその給電端子構造に関する。
【背景技術】
【０００２】
特開２００１−３７１５０において、振動モータの給電端子は、モータ本体の端蓋側のモータ端子に半田付けされて端面に沿うように径方向に延びた取付け部分と、この取付け部分からモータ本体の前端側へ向けて直角に折り曲げられた第１の部分と、この第１の部分からＵ字状の折り曲げ部位を介して第１の部分に略平行に後方へ延在する第２の部分と、第２の部分から外方に向け湾曲突出させて導通接触部が形成された第３の部分とを備えている。第２の部分が第１の部分からＵ字状の折り曲げ部位を介して後方へ折り返されているため、振動モータを基板上に押え込む際は第３の部分の導通接触部がモータの出力軸に対して略直交する方向でモータ本体側に弾力的に接近するので、モータを基板上に安定して載置することができる。
【特許文献１】特開２００１−３７１５０（図１）
【発明の開示】
【発明が解決しようとする課題】
【０００３】
しかしながら、上記の給電端子はＵ字状の折り曲げ部位を有しているため、第３の部分の導通接触部がモータ本体側に接近する程、このＵ字状の折り曲げ部位に過度なストレスが生じ、板ばねとしてのへたりを招き、導通接触部の基板上への圧接度合いが次第に低下する。また、Ｕ字状の折り曲げ部位の平行間隔だけモータ本体と基板との距離が長くなる分、振動モータの基板上での実装高さが高くなる。
【０００４】
そこで上記問題点に鑑み、本発明の課題は、Ｕ字状の折り曲げ部位を持たない給電端子を用いることにより、基板上に安定して載置できるモータを提供することにある。
【課題を解決するための手段】
【０００５】
本発明に係るモータは、後方へ突出するモータ端子を備えてモータケースの後端開口を塞ぐ端蓋部及びモータケースの後端側下部に臨む端子支持部を一体的に有する樹脂製ブラケットと、モータ端子に電気的に接続してモータ軸に対する径方向の下方へ延在する径方向部分及びこの径方向部分の下端から折曲してモータ軸と略平行で前方へ延在する軸方向部分を有する中継端子と、基板上に圧接すべき圧接部分を自由端側に持つばね状端子とを有し、端子支持部は、自由端側を後方へ向けた状態で前記ばね状端子の固定端側を支持する片持ち支持部と、軸方向部分が重なる受け止め支持部と一体的に有し、軸方向部分の先端側はばね状端子と接合しており、自由端側は軸方向部分の真下で接合部分から斜め下方に向けた中間部分を介して形成されていることを特徴とする。
【０００６】
受け止め支持部に重なる軸方向部分の先端側がばね状端子に接合しているため、ばね状端子は接合部分で中継端子に導通しており、しかも、ばね状端子が中継端子の軸方向部分に対し後方へ配向しているため、モータを基板上に安定して載置できる。ばね状端子はＵ字状の折り曲げ部位を持たないので、ばね状端子としてのへたりを防止でき、またモータの基板上での実装高さを低くできる。給電端子としては中継端子とばね状端子との２部品となるが、モータ端子に対して半田接続等の取り付けが容易な中継端子を選択でき、ばね幅等を最適化したばね状端子を用いることができる。
【０００７】
中継端子とばね状端子との接合部分は、固着部分でも非固着部分でも構わないが、予め両者を一体化した後に端子支持部へ組み込むためには、カシメ固定部分となっていることが望ましい。
【０００８】
ばね状端子を片持ち支持部に取り付けるには、固定端側を受容する差し込み穴を設けるのが望ましい。
【０００９】
受け止め支持部としては、端蓋部の後方から軸方向部分を差し込み規制する案内溝を有することが望ましい。端蓋部の後方から軸方向部分を案内溝に沿って差し込むと、中継端子の径方向部分をモータ端子に取り付けるための作業で済ませることができる。
【発明の効果】
【００１０】
本発明によれば、エンドブラケットは中継端子とばね状端子とを支持して両者を電気的に接続する端子支持部を一体的に有しているため、ばね状端子はＵ字状の折り曲げ部位を持たないので、基板上に安定して載置できることは勿論、ばね状端子としてのへたりを防止でき、またモータの基板上での実装高さを低くできる。
【発明を実施するための最良の形態】
【００１１】
次に、本発明の実施形態を添付図面に基づいて説明する。図１は本発明の実施例に係る電磁振動体を示す斜視図、図２は同電磁振動体から弾性外囲体を取り外した振動モータを示す斜視図、図３は同振動モータを一部切断した状態を示す側面図、図４は同振動モータに用いる一対の中継端子及びばね状端子を示す斜視図である。
【００１２】
本例の電磁振動体１は振動モータ２の胴部に弾性外囲体３を被せて成る。振動モータ２は、図２及び図３に示す如く、ロータ（図示せず）を内蔵したモータケース１０と、このモータケース１０の前方へ突出したモータ軸（図示せず）に取着した偏心錘２０と、モータケース１０の後端開口を塞ぐ端蓋部３１を持つ樹脂製のエンドブラケット３０とを有する。
【００１３】
端蓋部３１は後方へ突出する一対のモータ端子２ａ，２ａを備えており、モータ端子２ａ，２ａはモータケース１０内のブラシ対（図示せず）に電気的に接続している。エンドブラケット３０は、端蓋部３１と一体的な端子支持部３２を併有している。この端子支持部３２はモータケース１０の後端下部に臨んでいる。
【００１４】
本例の給電端子は、図４に示す如く、中継端子４０と板ばね状端子５０とを連結して成る。中継端子４０は、Ｌ字状片であり、端蓋部３１の端面に重なりモータ端子２ａ，２ａに電気的に接続してモータ軸（図示せず）に対する径方向の下方へ延在する径方向部分４１とこの下端から折曲してモータ軸と略平行で前方へ延在する軸方向部分４２とから成る。
【００１５】
一方、板ばね状端子５０は自由端側５１に基板（図示せず）上に圧接すべき圧接部分５１ａを有し、その固定端側５２は端子支持部３２の片持ち支持部３２ａの差し込み穴Ｂに差し込まれて自由端側５１が後方へ向けた状態で固定されている。中継端子４０の軸方向部分４２は端子支持部３２の受け止め支持部３２ｂに重なっており、軸方向部分４２の先端側の鋲部４２ａは板ばね状端子５０にカシメ固定されている。受け止め支持部３２ｂは端蓋部３１の後方から軸方向部分４２を差し込み規制する案内溝Ａを有している。板ばね状端子５０の自由端側５１は、軸方向部分４２の真下に位置し、鋲部４２ａに圧接する部分から斜め下方に向けた中間部分５３を介して形成されている。
【００１６】
本例の振動モータ２の組み付けにおいては、モータケース１０の後端開口をエンドブラケット３０の端蓋部３１で塞いだ後、中継端子４０の軸方向部分４２を端蓋部３１の後方から案内溝Ａに沿って差し込みながら、板ばね状端子５０の固定端側５２を片持ち支持部３２ａの差し込み穴Ｂへ差し込んだ後、中継端子４０の径方向部分４１をモータ端子２ａに取り付けるための作業で済ませることができる。
【００１７】
受け止め支持部３２ｂに重なる軸方向部分４２の先端側が鋲部４２ａで板ばね状端子５０に接合しているため、板ばね状端子５０は中継端子４０に導通しており、しかも、板ばね状端子５０が中継端子４０の軸方向部分４２に対し後方へ配向しているため、モータを基板上に安定して載置できる。板ばね状端子５０はＵ字状の折り曲げ部位を持たないので、板ばね状端子５０としてのへたりを防止でき、またモータの基板上での実装高さを低くできる。給電端子としては中継端子４０と板ばね状端子５０との２部品となるが、予め両者がカシメ固定で一体化しているため、エンドブラケット３０への組み込みが容易である。また、モータ端子２ａ，２ａに対して半田接続等の取り付けが容易な中継端子４０を選択でき、ばね幅等を最適化した板ばね状端子５０を用いることができる。
【図面の簡単な説明】
【００１８】
【図１】本発明の実施例に係る電磁振動体を示す斜視図である。
【図２】同電磁振動体から弾性外囲体を取り外した振動モータを示す斜視図である。
【図３】同振動モータを一部切断した状態を示す側面図である。
【図４】同振動モータに用いる一対の中継端子及び板ばね状端子を示す斜視図である。
【符号の説明】
【００１９】
１…電磁振動体
２…振動モータ
２ａ…モータ端子
３…弾性外囲体
１０…モータケース
２０…偏心錘
３０…エンドブラケット
３１…端蓋部
３２…端子支持部
３２ａ…片持ち支持部
３２ｂ…受け止め支持部
４０…中継端子
４１…径方向部分
４２…軸方向部分
４２ａ…鋲部
５０…板ばね状端子
５１…自由端側
５１ａ…圧接部分
５２…固定端側
５３…中間部分
Ａ…案内溝
Ｂ…差し込み穴
【図１】
0004698493.tif 000002
【図２】
0004698493.tif 000003
【図３】
0004698493.tif 000004
【図４】
0004698493.tif 000005